(57)【要約】【課題】受信側で転送設定がされていても、送信側のユーザが送信を希望する場合には、転送先の端末にデータを送信することができる情報処理装置を提供する。【解決手段】情報処理装置は、通信制御プロトコルとしてＳＩＰを用いてデータの通信を行う情報処理装置であって、データの送信先である受信側端末で転送設定されているか否かを判断する判断手段（ステップＳ５０２）と、該判断手段により転送設定されていると判断された場合に、転送先の端末にデータを送信してもよいか否かをユーザに問い合わせて選択させる問い合わせ手段（ステップＳ５０３）と、該問い合わせ手段により転送先の端末にデータを送信してもよいことが選択されている場合に、前記転送先へのデータの送信を許可する送信制御手段（ステップＳ５０４）と、を備える。【選択図】図５
2011029820.tif 000002
【特許請求の範囲】
【請求項１】
通信制御プロトコルとしてＳＩＰを用いてデータの通信を行う情報処理装置であって、
データの送信先である受信側端末で転送設定されているか否かを判断する判断手段と、
該判断手段により転送設定されていると判断された場合に、転送先の端末にデータを送信してもよいか否かをユーザに問い合わせて選択させる問い合わせ手段と、
該問い合わせ手段により転送先の端末にデータを送信してもよいことが選択されている場合に、前記転送先へのデータの送信を許可する送信制御手段と、を備える
ことを特徴とする情報処理装置。
【請求項２】
前記判断手段により転送設定されていると判断された場合に、前記問い合わせ手段による処理を行うか否かをユーザ操作により設定する第１の設定手段と、
該第１の設定手段により前記問い合わせ手段による処理を行わない設定がされた場合に、転送先の端末へのデータの送信を許可してもよいか否かをユーザ操作により設定する第２の設定手段と、を備える
ことを特徴とする請求項１に記載の情報処理装置。
【請求項３】
送信を許可する転送先の許可アドレスリスト、及び送信を禁止する転送先の禁止アドレスリストを記憶する記憶手段と、
前記判断手段により転送設定されていると判断された場合に、転送先のアドレスと前記記憶されたアドレスリストとを照合する照合手段と、
該照合手段による照合により前記転送先のアドレスが前記許可アドレスリストに存在する場合は、前記問い合わせ手段による処理を行わず、前記転送先にデータを送信し、前記照合手段による照合により前記転送先のアドレスが前記禁止アドレスリストに存在する場合は、前記問い合わせ手段による処理を行わず、データの送信を禁止する制御手段と、を備える
ことを特徴とする請求項１に記載の情報処理装置。
【請求項４】
前記判断手段により転送設定されていると判断された場合に、接続要求の目的が通話かデータ送信かを判定する判定手段と、
該判定手段により接続要求の目的が通話と判定された場合に、前記問い合わせ手段による処理を行わずに、転送先との通話を許可する制御手段と、を備える
ことを特徴とする請求項１に記載の情報処理装置。
【請求項５】
前記判断手段により転送設定されていると判断された場合に、識別情報が付加されたデータの送信か否かを判定する判定手段と、
該判定手段により識別情報が付加されたデータの送信であると判定された場合に、前記問い合わせ手段による処理を行わずに、データの送信を禁止する制御手段と、を備える
ことを特徴とする請求項１に記載の情報処理装置。
【請求項６】
前記判断手段により転送設定されていると判断された場合に、ユーザ認証中であるか否かを判定する判定手段と、
該判定手段によりユーザ認証中であると判定された場合に、前記問い合わせ手段による処理を行い、前記判定手段によりユーザ認証中でないと判定された場合に、前記問い合わせ手段による処理を行わず、データの送信を禁止する制御手段と、
該制御手段によりデータの送信が禁止されたユーザが後にデータ送信を行う際に、前記判定手段によりユーザ認証中であると判定された場合に、前記データの送信が禁止されたことをユーザに通知する通知手段と、を備える
ことを特徴とする請求項１に記載の情報処理装置。
【請求項７】
通信制御プロトコルとしてＳＩＰを用いてデータの通信を行う情報処理装置の制御方法であって、
データの送信先である受信側端末で転送設定されているか否かを判断する判断ステップと、
該判断ステップで転送設定されていると判断された場合に、転送先の端末にデータを送信してもよいか否かをユーザに問い合わせて選択させる問い合わせステップと、
該問い合わせステップで転送先の端末にデータを送信してもよいことが選択されている場合に、前記転送先へのデータの送信を許可する送信制御ステップと、を備える
ことを特徴とする情報処理装置の制御方法。
【請求項８】
通信制御プロトコルとしてＳＩＰを用いてデータの通信を行う情報処理装置の制御プログラムであって、
データの送信先である受信側端末で転送設定されているか否かを判断する判断ステップと、
該判断ステップで転送設定されていると判断された場合に、転送先の端末にデータを送信してもよいか否かをユーザに問い合わせて選択させる問い合わせステップと、
該問い合わせステップで転送先の端末にデータを送信してもよいことが選択されている場合に、前記転送先へのデータの送信を許可する送信制御ステップと、をコンピュータに実行させる、
ことを特徴とする情報処理装置の制御プログラム。
【発明の詳細な説明】
【技術分野】
【０００１】
本発明は、通信制御プロトコルとしてＳＩＰ（Ｓｅｓｓｉｏｎ  Ｉｎｉｔｉａｔｉｏｎ  Ｐｒｏｔｏｃｏｌ）を用いてデータの通信を行う情報処理装置、情報処理装置の制御方法、及び情報処理装置の制御プログラムに関する。
【背景技術】
【０００２】
ＳＩＰを用いて通信する場合、送信側端末と受信側端末との間にＳＩＰサーバが備えられ、送信側端末は、ＳＩＰサーバに対して受信側端末のＩＰアドレスを問い合わせることにより該ＩＰアドレスを取得し、受信側端末に対して接続を要求する。
【０００３】
また、このような通信環境において、受信側端末は、ＳＩＰサーバに転送設定を行うことができる。
【０００４】
転送設定とは、たとえば受信側のユーザが外出するようなときに、本来の受信側端末ではなく外出先の端末で自分宛てのデータを受信したい場合に、外出先の端末のＩＰアドレスを転送先としてＳＩＰサーバに登録しておく。これにより、ＳＩＰサーバは、問い合わせを行った送信側端末に対して転送先の端末のＩＰアドレスを通知する。
【０００５】
しかし、送信側端末から外出先の端末へデータを転送した場合、送信者が意図していない端末にデータが送信されてしまうため、セキュリティの観点で不都合が生じる。
【０００６】
そこで、送信側端末からＳＩＰサーバに問い合わせを行った際に、ＳＩＰサーバから受信側で転送設定が行われている通知を送信側端末が受け取った場合には、通信を中断する技術が提案されている（特許文献１）。
【先行技術文献】
【特許文献】
【０００７】
【特許文献１】特開２００５−９４６６２号公報
【発明の概要】
【発明が解決しようとする課題】
【０００８】
しかし、上記特許文献１では、送信側のユーザが、受信側で転送設定がされていても外出先の端末にデータを送信したいことを希望する場合であっても、通信が中断されてしまうため不便である。
【０００９】
また、上記特許文献１では、受信側で転送設定がされていても例外的に送信を許可する「許可アドレス」を登録することが開示されているが、受信側のユーザが任意に設定可能な転送先を送信側のユーザ（或いは管理者）が前もって想定することは現実的ではない。
【００１０】
そこで、本発明は、受信側で転送設定がされていても、送信側のユーザが送信を希望する場合には、転送先の端末にデータを送信することができる情報処理装置、情報処理装置の制御方法及び制御プログラムを提供することを目的とする。
【課題を解決するための手段】
【００１１】
上記目的を達成するために、本発明の情報処理装置は、通信制御プロトコルとしてＳＩＰを用いてデータの通信を行う情報処理装置であって、データの送信先である受信側端末で転送設定されているか否かを判断する判断手段と、該判断手段により転送設定されていると判断された場合に、転送先の端末にデータを送信してもよいか否かをユーザに問い合わせて選択させる問い合わせ手段と、該問い合わせ手段により転送先の端末にデータを送信してもよいことが選択されている場合に、前記転送先へのデータの送信を許可する送信制御手段と、を備えることを特徴とする。
【００１２】
本発明の情報処理装置の制御方法は、通信制御プロトコルとしてＳＩＰを用いてデータの通信を行う情報処理装置の制御方法であって、データの送信先である受信側端末で転送設定されているか否かを判断する判断ステップと、該判断ステップで転送設定されていると判断された場合に、転送先の端末にデータを送信してもよいか否かをユーザに問い合わせて選択させる問い合わせステップと、該問い合わせステップで転送先の端末にデータを送信してもよいことが選択されている場合に、前記転送先へのデータの送信を許可する送信制御ステップと、を備えることを特徴とする。
【００１３】
本発明の情報処理装置の制御方法は、通信制御プロトコルとしてＳＩＰを用いてデータの通信を行う情報処理装置の制御プログラムであって、データの送信先である受信側端末で転送設定されているか否かを判断する判断ステップと、該判断ステップで転送設定されていると判断された場合に、転送先の端末にデータを送信してもよいか否かをユーザに問い合わせて選択させる問い合わせステップと、該問い合わせステップで転送先の端末にデータを送信してもよいことが選択されている場合に、前記転送先へのデータの送信を許可する送信制御ステップと、をコンピュータに実行させる、ことを特徴とする。
【発明の効果】
【００１４】
本発明によれば、受信側で転送設定がされている場合に、送信側のユーザにデータを送信してもよいか否かを問い合わせ、送信側のユーザが送信を許可した場合にのみデータを送信する。
【００１５】
これにより、受信側で転送設定がされていても、送信側のユーザが送信を希望する場合は、転送先の端末にデータを送信することができ、セキュリティ機能を損なうことなく、ユーザの利便性を高めることができる。
【図面の簡単な説明】
【００１６】
【図１】本発明の第１の実施形態である情報処理装置を備える通信システムの構成例を示す図である。
【図２】ＭＦＰ−Ｘの構成例を説明するためのブロック図である。
【図３】ＭＦＰ−ＸからＭＦＰ−ＡへＦＡＸ送信する場合の処理について説明するためのシーケンス図である。
【図４】ＭＦＰ−ＸからＭＦＰ−ＡへＦＡＸ送信する際に、ＭＦＰ−Ａの転送先としてＭＦＰ−Ｃが設定されている場合の処理について説明するためのシーケンス図である。
【図５】送信側端末であるＭＦＰ−Ｘにおけるデータの送信処理について説明するためのフローチャート図である。
【図６】ユーザへの問い合わせ画面の一例を示す図である。
【図７】送信中止のメッセージの表示例を示す図である。
【図８】本発明の第２の実施形態である情報処理装置において、ユーザに対して転送先へのデータ送信を許可するか否かの問い合わせをするかどうかを予め設定する画面例を示す図である。
【図９】送信側端末であるＭＦＰ−Ｘにおけるデータの送信処理について説明するためのフローチャート図である。
【図１０】本発明の第３の実施形態である情報処理装置を説明するための図であり、（ａ）は転送先のアドレスへの送信を許可する許可アドレスリストを示す図、（ｂ）は転送先のアドレスへの送信を禁止する禁止アドレスリストを示す図である。
【図１１】送信側端末であるＭＦＰ−Ｘにおけるデータの送信処理について説明するためのフローチャート図である。
【図１２】本発明の第４の実施形態である情報処理装置を構成するＭＦＰ−Ｘにおけるデータの送信処理について説明するためのフローチャート図である。
【図１３】本発明の第５の実施形態である情報処理装置を構成するＭＦＰ−Ｘにおけるデータの送信処理について説明するためのフローチャート図である。
【図１４】本発明の第６の実施形態である情報処理装置を構成するＭＦＰ−Ｘにおいて、メモリ送信時に表示部に表示される、代替アドレスへ送信をするかしないかの設定画面の一例を示す図である。
【図１５】送信側端末であるＭＦＰ−Ｘにおけるデータの送信処理について説明するためのフローチャート図である。
【図１６】本発明の第７の実施形態である情報処理装置を構成するＭＦＰ−Ｘにおけるデータ送信処理について説明するためのフローチャート図である。
【図１７】記憶部に記憶する中止通知情報の例を示す図である。
【図１８】ユーザへの通知画面例を示す図である。
【発明を実施するための形態】
【００１７】
以下、本発明の実施形態を図面を参照して説明する。
【００１８】
（第１の実施形態）
図１は、本発明の第１の実施形態である情報処理装置を備える通信システムの構成例を示す図である。
【００１９】
図１に示す通信システムは、通信制御プロトコルとしてＳＩＰを用いて通信を行うＭＦＰ−Ａ１０１、ＭＦＰ−Ｂ１０２、ＭＦＰ−Ｃ１０３、ＭＦＰ−Ｘ１０４及びＳＩＰサーバ１０５がネットワーク１００を介して互いに通信可能に接続されている。
【００２０】
ＭＦＰ−Ａ１０１、ＭＦＰ−Ｂ１０２、ＭＦＰ−Ｃ１０３及びＭＦＰ−Ｘ１０４は、コピー、ＦＡＸ、プリンタ機能を有する複合機とされている。
【００２１】
また、ＭＦＰ−Ａ１０１が受信側端末、ＭＦＰ−Ｂ１０２及びＭＦＰ−Ｃ１０３が転送先端末、ＭＦＰ−Ｘ１０４が送信側端末とされており、本実施形態では、ＭＦＰ−Ｘ１０４が本発明の情報処理装置の一例に相当する。なお、ＭＦＰ−Ａ１０１のＦＡＸ番号は、「０３−１１１１−１１１１」として説明する。
【００２２】
ＳＩＰサーバ１０５は、不図示のリダイレクトサーバ、プロキシサーバ、登録サーバ、ロケーションサーバから構成される。また、ＳＩＰサーバ１０５は、ユーザ端末の登録管理、ユーザの認証、電話／ＦＡＸ番号からＩＰアドレスへの変換、呼制御シーケンスの制御、接続先へのルーティングなどを行う。
【００２３】
図２は、ＭＦＰ−Ｘ１０４の構成例を説明するためのブロック図である。なお、ＭＦＰ−Ａ１０１、ＭＦＰ−Ｂ１０２、ＭＦＰ−Ｃ１０３の構成については、ＭＦＰ−Ｘ１０４と同様であるので、その説明を省略する。
【００２４】
図２において、ＣＰＵ２０１は、ＲＯＭ２０８に格納された制御プログラムに基づいてＭＦＰ−Ａ１０１を構成する各デバイスを制御する。
【００２５】
表示／操作部２０３は、表示画面に、例えばウインドウ、アイコン、メッセージ、メニュー、その他のユーザインターフェース情報を表示する。表示／操作部２０３は、図示は省略するが、ユーザがコピー、ＦＡＸ、プリンタ操作を行うための各種キーや、表示画面のアイコン、メニューなどを操作する画面ポインティングデバイスから構成される。
【００２６】
スキャナ部２０４は、原稿の画像の読み取り処理を行う。印刷部２０５は、ＲＡＭ２０９やＨＤＤ２１０に保存した印刷データの印刷を行う。ＲＯＭ２０８は、各種制御プログラムやデータを保持する。
【００２７】
ＲＡＭ２０９は、ＣＰＵ２０１のワーク領域、エラー処理時のデータの退避領域、制御プログラムのロード領域などを有する。ＨＤＤ２１０は、各種制御プログラムや印刷データを保存する。
【００２８】
ネットワークＩ／Ｆ部２１３は、ネットワーク１００に接続され、ＳＩＰサーバ１０５、ＭＦＰ−Ｂ１０２、ＭＦＰ−Ｃ１０３、ＭＦＰ−Ｘ１０４との間で通信を行う。ＳＩＰ−ＦＡＸ用の通信もこのネットワークＩ／Ｆ部２１３で行われる。
【００２９】
Ｔ．３８プロトコル作成／解析部２１４は、ＩＴＵ−Ｕ勧告Ｔ．３８プロトコルによるファクシミリ伝送情報を生成し、また受信したプロトコルからファクシミリ伝送情報を取り出す機能を有する。
【００３０】
ＩＰパケット作成／解析部２０６は、ＩＴＵ−Ｕ勧告Ｔ．３８プロトコルをＩＰパケットにマッピングし、また、受信したＩＰパケットからＩＴＵ−Ｕ勧告Ｔ．３８プロトコルを取り出す機能を有する。画像変換制御部２０７は、ＦＡＸ通信する画像の圧縮伸張や変倍、線密度変換を行う。
【００３１】
図３は、ＭＦＰ−Ｘ１０４からデータの送信先であるＭＦＰ−Ａ１０１のＦＡＸ番号「０３−１１１１−１１１１」へＦＡＸ送信する場合の処理について説明するためのシーケンス図である。
【００３２】
図３において、まず、ＭＦＰ−Ｘ１０４は、データの送信先であるＭＦＰ−Ａ１０１のＦＡＸ番号「０３−１１１１−１１１１」の接続を要求するＩＮＶＩＴＥリクエストをＳＩＰサーバ１０５に対して送信する。
【００３３】
ＳＩＰサーバ１０５は、ＦＡＸ番号「０３−１１１１−１１１１」からＭＦＰ−Ａ１０１のＩＰアドレス「１１．１１．１１．１１」を特定し、ＭＦＰ−Ａ１０１へＩＮＶＩＴＥリクエストを送信する。
【００３４】
また、ＳＩＰサーバ１０５は、ＭＦＰ−Ｘ１０４に暫定的に１００Ｔｒｙｉｎｇレスポンスを返送し、ＭＦＰ−Ａ１０１に接続しようとしていることを通知する。
【００３５】
ＳＩＰサーバ１０５からＩＮＶＩＴＥリクエストを受信したＭＦＰ−Ａ１０１は、ＦＡＸ受信処理を開始するとともに、ＦＡＸ呼び出し中であることを示す１８０ＲｉｎｇｉｎｇレスポンスをＳＩＰサーバ１０５に返送する。
【００３６】
ＳＩＰサーバ１０５は、ＭＦＰ−Ａ１０１から返送された１８０Ｒｉｎｇｉｎｇレスポンスを中継し、ＭＦＰ−Ｘ１０４に送信する。
【００３７】
ＭＦＰ−Ａ１０１は、ＦＡＸ着信を開始するとともに、２００ＯＫレスポンスをＳＩＰサーバ１０５経由でＭＦＰ−Ｘ１０４に送信する。
【００３８】
２００ＯＫレスポンスを受信したＭＦＰ−Ｘ１０４は、２００ＯＫレスポンスを受信したことを示すＡＣＫをＭＦＰ−Ａ１０１に対して送信する。
【００３９】
ＡＣＫをＭＦＰ−Ａ１０１が受信することにより、ＭＦＰ−Ｘ１０４とＭＦＰ−Ａ１０１との間のセッションが確立し、その後、ＩＴＵ−Ｔ勧告Ｔ．３８に準拠したリアルタイムのＦＡＸ通信が行われる。
【００４０】
ＭＦＰ−Ａ１０１においてＦＡＸ受信が終了すると、ＭＦＰ−Ａ１０１からＭＦＰ−Ｘ１０４にメソッドＢＹＥが送信され、メソッドＢＹＥに対する２００ＯＫレスポンスがＭＦＰ−Ｘ１０４からＭＦＰ−Ａ１０１に返送されることで、セッションが終了する。
【００４１】
次に、図４を参照して、ＭＦＰ−Ｘ１０４からＭＦＰ−Ａ１０１のＦＡＸ番号「０３−１１１１−１１１１」へＦＡＸ送信する際に、ＭＦＰ−Ａ１０１の転送先としてＭＦＰ−Ｃ１０３が設定されている場合の処理について説明する。なお。ここでは、ＭＦＰ−Ａ１０１側におけるＳＩＰサーバ１０５への転送先の設定処理についての説明は省略する。
【００４２】
図４において、まず、ＭＦＰ−Ｘ１０４は、ＭＦＰ−Ａ１０１のＦＡＸ番号「０３−１１１１−１１１１」の接続を要求するＩＮＶＩＴＥリクエストをＳＩＰサーバ１０５に対して送信する。
【００４３】
ＳＩＰサーバ１０５は、ＭＦＰ−Ｘ１０４から送信されたＩＮＶＩＴＥリクエストに対して３０２ＭｏｖｅｄＴｅｍｐｏｒａｒｙレスポンス（リダイレクトレスポンス）をＭＦＰ−Ｘ１０４に返送する。
【００４４】
このとき、ＳＩＰサーバ１０５は、転送先の設定情報を参照し、ＭＦＰ−Ａ１０１のＦＡＸ番号「０３−１１１１−１１１１」の転送先の端末のＩＰアドレスも３０２ＭｏｖｅｄＴｅｍｐｏｒａｒｙレスポンスとともにＭＦＰ−Ｘ１０４に返送する。
【００４５】
この場合、転送設定「有り」と設定されているＭＦＰ−Ｃ１０３のＩＰアドレス「１１．１１．１１．３３」がＭＦＰ−Ｘ１０４に返送される。
【００４６】
続いて、ＭＦＰ−Ｘ１０４は、ＳＩＰサーバ１０５から返送された３０２ＭｏｖｅｄＴｅｍｐｏｒａｒｙレスポンスに対する確認応答であるＡＣＫをＳＩＰサーバ１０５に送信する。
【００４７】
ＭＦＰ−Ｘ１０４は、３０２ＭｏｖｅｄＴｅｍｐｏｒａｒｙレスポンス及び転送先の端末のＩＰアドレスを受信し、再度ＩＮＶＩＴＥリクエストをＳＩＰサーバ１０５に対して送信する。このときの宛先のＩＰアドレスは、前記受信したＩＰアドレス、即ちＭＦＰ−Ｃ１０３のＩＰアドレス「１１．１１．１１．３３」である。
【００４８】
ＳＩＰサーバ１０５は、ＭＦＰ−Ｘ１０４から送信されたＩＮＶＩＴＥリクエストを中継して、転送先であるＭＦＰ−Ｃ１０３に送信する。また、ＳＩＰサーバ１０５は、ＭＦＰ−Ｘ１０４に暫定的に１００Ｔｒｙｉｎｇレスポンスを返送し、ＭＦＰ−Ｃ１０３に接続しようとしていることを通知する。
【００４９】
ＳＩＰサーバ１０５からＩＮＶＩＴＥリクエストを受信したＭＦＰ−Ｃ１０３は、ＦＡＸ受信処理を開始するとともに、ＦＡＸ呼び出し中であることを示す１８０ＲｉｎｇｉｎｇレスポンスをＳＩＰサーバ１０５に返送する。
【００５０】
ＳＩＰサーバ１０５は、ＭＦＰ−Ｃ１０３から返送された１８０Ｒｉｎｇｉｎｇレスポンスを中継して、ＭＦＰ−Ｘ１０４に返送する。
【００５１】
ＭＦＰ−Ｃ１０３は、ＦＡＸ受信を開始するとともに２００ＯＫレスポンスをＳＩＰサーバ１０５経由でＭＦＰ−Ｘ１０４に返送する。
【００５２】
２００ＯＫレスポンスを受信したＭＦＰ−Ｘ１０４は、２００ＯＫレスポンスを受信したことを示すＡＣＫをＭＦＰ−Ｃ１０３に対して送信する。
【００５３】
ＭＦＰ−Ｃ１０３がＡＣＫを受信することにより、ＭＦＰ−Ｘ１０４とＭＦＰ−Ｃ１０３との間のセッションが確立し、その後、ＩＴＵ−Ｔ勧告Ｔ．３８に準拠したリアルタイムのＦＡＸ通信が行われる。
【００５４】
ＭＦＰ−Ｃ１０３においてＦＡＸ受信が終了すると、ＭＦＰ−Ｃ１０３からＭＦＰ−Ｘ１０４にメソッドＢＹＥが送信され、このメソッドＢＹＥに対する２００ＯＫレスポンスがＭＦＰ−Ｘ１０４からＭＦＰ−Ｃ１０３に送信されることで、セッションが終了する。
【００５５】
次に、図５を参照して、送信側端末であるＭＦＰ−Ｘ１０４におけるデータの送信処理について説明する。図５での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【００５６】
ステップＳ５０１では、ＣＰＵ２０１は、表示／操作部２０３等でのユーザ操作による送信指示を受け付けると、ＳＩＰサーバ１０５に対して接続要求であるＩＮＶＩＴＥリクエストを送信し、ステップＳ５０２に進む。
【００５７】
ステップＳ５０２では、ＣＰＵ２０１は、ＳＩＰサーバ１０５から転送設定での代替アドレス（例えばＩＰアドレス）が通知されたか否かを判断する。
【００５８】
具体的には、ＣＰＵ２０１は、ＳＩＰサーバ１０５から返送された３０２ＭｏｖｅｄＴｅｍｐｏｒａｒｙレスポンスで代替アドレスが通知されない場合は、転送設定がされていないと判断して、ステップＳ５０９に進み、データを送信して処理を終了する。
【００５９】
一方、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ５０３に進む。
【００６０】
ステップＳ５０３では、ＣＰＵ２０１は、転送設定されている転送先端末にデータを送信してもよいか否かをユーザに問い合わせるための画面を表示／操作部２０３等の表示部に表示し、ステップＳ５０４に進む。
【００６１】
図６に、表示／操作部２０３等の表示部に表示する問い合わせ画面の一例を示す。図６の画面例では、送信相手の端末が転送設定されていることをユーザに通知し、また、転送先のアドレス（例えばＩＰアドレス）及びこのアドレスへの送信を許可するか否かを選択する「ＯＫ」ボタン及び「キャンセル」ボタン等を表示する。
【００６２】
ステップＳ５０４では、ＣＰＵ２０１は、図６の画面で「ＯＫ」ボタンが選択操作されると、ステップＳ５０８に進み、「ＯＫ」ボタンが選択操作されない場合は、ステップＳ５０５に進む。
【００６３】
ステップＳ５０８では、ＣＰＵ２０１は、転送先のアドレスへの再接続要求のＩＮＶＩＴＥリクエストをＳＩＰサーバ１０５に送信し、ステップＳ５０９に進む。
【００６４】
ステップＳ５０９では、ＣＰＵ２０１は、転送先の端末にデータを送信し、処理を終了する。
【００６５】
一方、ステップＳ５０５では、ＣＰＵ２０１は、図６の画面で「キャンセル」ボタンが選択操作されたか否かを判断する。
【００６６】
そして、ＣＰＵ２０１は、「キャンセル」ボタンが選択操作された場合は、ステップＳ５０７に進み、「キャンセル」ボタンが選択操作されない場合は、ステップＳ５０６に進む。
【００６７】
ステップＳ５０６では、ＣＰＵ２０１は、図６の画面で「ＯＫ」ボタン又は「キャンセル」ボタンが選択操作されない状態が所定時間経過すると、ステップＳ５０７に進む。
【００６８】
ステップＳ５０７では、ＣＰＵ２０１は、表示／操作部２０３等の表示部に例えば図７に示す送信中止のメッセージを表示する等のエラー処理を行い、データを送信せずに処理を終了する。
【００６９】
以上説明したように、本実施形態では、受信側で転送設定がされている場合に、送信側のユーザにデータを送信してもよいか否かを問い合わせ、送信側端末のユーザが送信を許可した場合にのみデータを送信する。
【００７０】
これにより、受信側で転送設定がされていても、送信側端末のユーザが送信を希望する場合は、転送先の端末にデータを送信することができ、セキュリティ機能を損なうことなく、ユーザの利便性を高めることができる。
【００７１】
（第２の実施形態）
次に、図８及び図９を参照して、本発明の第２の実施形態である情報処理装置について説明する。なお、上記第１の実施形態に対して重複又は相当する部分については、図及び符号を流用して説明する。
【００７２】
本実施形態では、受信側で転送設定がされている場合に、送信側端末であるＭＦＰ−Ｘ１０４のユーザに対して転送先へのデータ送信を許可するか否かの問い合わせをするかどうかを予め設定する例について説明する。
【００７３】
図８は、ＭＦＰ−Ｘ１０４の表示／操作部２０３の表示部に表示する画面例である。この画面には、タッチキー等のソフトスイッチが配置されており、転送先の代替アドレスがＳＩＰサーバ１０５から通知された場合に、「行う」又は「行わない」をタッチすることでユーザへの問い合せを行うかどうかを選択設定する。
【００７４】
タッチした文言の左側には、確認用のインジケータが表示され、図８の画面例では、第１の設定として転送先の代替アドレスがＳＩＰサーバ１０５から通知された場合に、ユーザへの問い合わせを「行う」設定になっている。
【００７５】
また、図８の画面の下段では、上段の欄でユーザへの問い合せを「行わない」設定にした場合に、第２の設定として「送信を許可する」又は「送信を禁止する」をタッチすることで転送先に対してデータを送信するかどうかを選択設定する。
【００７６】
この場合も、タッチした文言の左側には、確認用のインジケータが表示され、ここでは、上段の欄でユーザへの問い合せを「行わない」設定にした場合に、転送先に対してデータの送信を許可する設定になっている。
【００７７】
ここで送信を許可した場合は、ユーザへの問い合せを行うことなく、転送先への送信が許可され、送信が禁止されていた場合は、ユーザへの問い合せを行なわず、転送先への送信が禁止される。
【００７８】
次に、図９を参照して、送信側端末であるＭＦＰ−Ｘ１０４におけるデータの送信処理について説明する。図９での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【００７９】
なお、本実施形態では、上記第１の実施形態で説明した図５のステップＳ５０２とステップＳ５０３との間に、ステップＳ９０１及びステップＳ９０２が挿入される点以外は、上記第１の実施形態（図５）と同様であるため、相違点についてのみ説明する。
【００８０】
まず、ステップＳ５０２では、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ９０１に進む。
【００８１】
ステップＳ９０１では、ＣＰＵ２０１は、図８に示す画面において、ユーザへの問い合わせを「行う」設定になっているか、「行わない」設定になっているかを判断する。
【００８２】
そして、ＣＰＵ２０１は、「行う」設定になっていれば、ステップＳ５０３に進んで、図５と同様の問い合わせ処理を行い、「行わない」設定になっていれば、ステップＳ９０２に進む。
【００８３】
ステップＳ９０２では、ＣＰＵ２０１は、図８に示す画面において、転送先に対してデータの「送信を許可する」設定になっているか、「送信を禁止する」設定になっているかを判断する。
【００８４】
そして、ＣＰＵ２０１は、転送先に対してデータの「送信を許可する」設定になっていれば、ステップＳ５０８の再接続要求に進み、「送信を禁止する」設定になっていれば、ステップＳ５０７のエラー処理に進み、転送先に対してデータの送信を行わない。
【００８５】
以上説明したように、本実施形態では、受信側で転送設定がされている場合に、送信側端末のユーザに対して転送先へのデータ送信を許可するか否かの問い合せの有無や、問い合せをしない場合の送信動作も設定することができ、データ送信の際の操作性が向上する。その他の構成及び作用効果は、上記第１の実施形態と同様である。
【００８６】
（第３の実施形態）
次に、図１０及び図１１を参照して、本発明の第３の実施形態である情報処理装置について説明する。なお、上記第１の実施形態に対して重複又は相当する部分については、図及び符号を流用して説明する。
【００８７】
本実施形態では、転送先のアドレスへの送信を許可する許可アドレスリスト（図１０（ａ））と、転送先のアドレスへの送信を禁止する禁止アドレスリスト（図１０（ｂ））とを予め設定する。
【００８８】
そして、このリストのアドレスとＳＩＰサーバ１０５から通知された代替アドレスとを照合して送信の際のユーザへの問い合せ処理を制御する。
【００８９】
図１０に示すアドレスは、それぞれ転送先のＩＰアドレスであり、送信履歴などを参照して、ユーザが転送先として許可できるか、禁止するかを判断し、予め所定の記憶領域に設定しておく。
【００９０】
次に、図１１を参照して、送信側端末であるＭＦＰ−Ｘ１０４におけるデータの送信処理について説明する。図１１での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【００９１】
なお、本実施形態では、上記第１の実施形態で説明した図５のステップＳ５０２とステップＳ５０３との間に、ステップＳ１１０１及びステップＳ１１０２が挿入される点以外は、上記第１の実施形態（図５）と同様であるため、相違点についてのみ説明する。
【００９２】
まず、ステップＳ５０２では、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ１１０１に進む。
【００９３】
ステップＳ１１０１では、ＣＰＵ２０１は、ステップＳ５０２で通知された代替アドレスと図１０（ａ）に示す許可アドレスリストとを照合する。
【００９４】
そして、ＣＰＵ２０１は、代替アドレスが許可アドレスリストに存在する場合は、ステップＳ５０８の再接続要求に進み、代替アドレスが許可アドレスリストに存在しない場合は、ステップＳ１１０２に進む。
【００９５】
ステップＳ１１０２では、ＣＰＵ２０１は、ステップＳ５０２で通知された代替アドレスと図１０（ｂ）に示す禁止アドレスリストとを照合する。
【００９６】
そして、ＣＰＵ２０１は、代替アドレスが禁止アドレスリストに存在する場合は、ステップＳ５０７のエラー処理に進み、代替アドレスが禁止アドレスリストに存在しない場合は、ステップＳ５０３に進み、ユーザへの問い合わせ処理を行う。
【００９７】
以上説明したように、本実施形態では、転送先へのデータ送信を許可／禁止するアドレスリストを予め設定し、送信時に、転送先のアドレスとこのアドレスリストと照合することで、ユーザへの問い合せの有無や、送信の許可／禁止を制御することができる。
【００９８】
これにより、転送先のアドレス管理が可能となり、また、アドレスリストに存在するアドレスについてはユーザへの問い合わせ処理を省略できるため、操作性が向上する。その他の構成及び作用効果は、上記第１の実施形態と同様である。
【００９９】
（第４の実施形態）
次に、図１２を参照して、本発明の第４の実施形態である情報処理装置について説明する。なお、上記第１の実施形態に対して重複又は相当する部分については、図及び符号を流用して説明する。
【０１００】
ＭＦＰでは、通常、ＦＡＸ機能及び電話機能を持ち、ＳＩＰサーバ１０５に対して転送設定をする受信側端末のユーザも、ＦＡＸ送信の転送設定だけではなく、通話（電話）の転送設定も行なっている。
【０１０１】
そこで、本実施形態では、接続要求が通話目的であるのか又はＦＡＸ目的であるのかに応じて転送処理を切替制御する。
【０１０２】
送信側端末であるＭＦＰ−Ｘ１０４において接続要求する場合に、通話（電話）なのか、データ通信（ＦＡＸ）なのかをユーザ操作に基づき判別することができる。
【０１０３】
例えば、電話番号を指定して接続要求する際、通話目的の場合（手動発呼）は、表示／操作部２０３のフックボタン押下やハンドセットのフックアップ等のユーザ操作で回線を接続する。ＦＡＸ目的の場合（自動発呼）のユーザ操作は、電話番号を入力し、原稿をセットして送信開始ボタンを押下する。
【０１０４】
次に、図１２を参照して、送信側端末であるＭＦＰ−Ｘ１０４における送信処理について説明する。図１２での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【０１０５】
なお、本実施形態では、上記第１の実施形態で説明した図５のステップＳ５０２とステップＳ５０３との間に、ステップＳ１２０１が挿入される点以外は、上記第１の実施形態（図５）と同様であるため、相違点についてのみ説明する。
【０１０６】
ステップＳ５０２では、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ１２０１に進む。
【０１０７】
ステップＳ１２０１では、ＣＰＵ２０１は、上述したユーザ操作に基づき接続要求の目的が通話（電話）であるかデータ通信（ＦＡＸ）であるかを判断する。
【０１０８】
そして、ＣＰＵ２０１は、接続要求の目的が通話の場合は、ステップＳ５０８の再接続要求に進み、転送先の端末に接続して通話を可能にする。一方、ＣＰＵ２０１は、接続要求の目的がＦＡＸの場合は、ステップＳ５０３に進み、ユーザへの問い合わせ処理を行う。
【０１０９】
以上説明したように、本実施形態では、通話目的の接続要求が転送である場合には、ユーザへの問い合わせを行なわず、再接続要求を許可して通話を可能にすることができる。その他の構成及び作用効果は、上記第１の実施形態と同様である。
【０１１０】
（第５の実施形態）
次に、図１３を参照して、本発明の第５の実施形態である情報処理装置について説明する。なお、上記第１の実施形態に対して重複又は相当する部分については、図及び符号を流用して説明する。
【０１１１】
本実施形態では、ＦＡＸ送信モード別に転送処理を制御する。ＦＡＸ送信モードには、通常のＦＡＸ送信のほかに、受信データの受け取りユーザを予め特定して送信する親展送信がある。
【０１１２】
親展送信では、受信者が、例えば受信データをプリントするのではなく、親展受信用のメモリあるいはボックスに蓄積受信する。このメモリやボックスには、予めパスワード等の識別情報が設定され、識別情報を識別できない場合は、蓄積されたデータは読み出せないようになっている。
【０１１３】
親展送信でのデータ送信時には、通常、ＦＡＸの通信プロトコル規格であるＩＴＵ−ＴＴ．３０で規定されたＦコードやパスワードが用いられ、ＦＡＸのデータ送信を行う前に、ＦＡＸのプロトコルデータで予め設定されたＦコードやパスワードを送信する。親展送信用のＦコードやパスワードの設定方法は、公知であるため説明を省略する。
【０１１４】
次に、図１３を参照して、送信側端末であるＭＦＰ−Ｘ１０４におけるデータ送信処理について説明する。図１３での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【０１１５】
なお、本実施形態では、上記第１の実施形態で説明した図５のステップＳ５０２とステップＳ５０３との間に、ステップＳ１３０１が挿入される点以外は、上記第１の実施形態（図５）と同様であるため、相違点についてのみ説明する。
【０１１６】
ステップＳ５０２では、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ１３０１に進む。
【０１１７】
ステップＳ１３０１では、ＣＰＵ２０１は、Ｆコードが付加されたデータの送信か否かを判定する。
【０１１８】
そして、ＣＰＵ２０１は、Ｆコードが付加されたデータの送信であれば、ステップＳ５０７のエラー処理に進んで送信を禁止し、Ｆコードが付加されたデータの送信でなければ、ステップＳ１３０２に進む。
【０１１９】
ステップＳ１３０２では、ＣＰＵ２０１は、パスワードが付加されたデータの送信か否かを判定する。
【０１２０】
そして、ＣＰＵ２０１は、パスワードが付加されたデータの送信であれば、ステップＳ５０７のエラー処理に進んで送信を禁止し、パスワードが付加されたデータの送信でなければ、ステップＳ５０８で再接続要求を行い、データを送信する。
【０１２１】
以上説明したように、本実施形態では、重要なデータ送信であるＦコード、パスワード付の親展送信時に、転送先へのデータ送信を予め禁止するように設定することができ、誤って重要なデータを転送してしまうことを未然に防ぐことができる。その他の構成及び作用効果は、上記第１の実施形態と同様である。
【０１２２】
（第６の実施形態）
次に、図１４及び図１５を参照して、本発明の第６の実施形態である情報処理装置について説明する。なお、上記第１の実施形態に対して重複又は相当する部分については、図及び符号を流用して説明する。
【０１２３】
本実施形態では、ＦＡＸ送信（読み取り）モード別に送信を制御する。一般に、ＦＡＸ送信には、予め送信するデータを自機内の記憶部へ全て蓄積してから、回線接続し、記憶したデータを送信するメモリ受信と、先に回線を接続し、相手と繋がってからデータを読み取りながら送信するダイレクト送信がある。
【０１２４】
ダイレクト送信では、読み取ったデータがリアルタイムに相手先に送信される。メモリ送信は、即時性ではなく確実な送信を行うもので、読み取ったデータは、相手先に届くまで記憶部に保持される。
【０１２５】
例えば、通信途中に回線上のノイズなどの影響で通信エラーが発生しても、メモリ送信であれば、自動的に相手と再接続してエラーしたデータを再送信し、送信がエラー無く終了すると、記憶部に蓄積していたデータを消去する。ダイレクト送信には、このようなエラー再送信機能は無い。
【０１２６】
ユーザから見れば、メモリ送信は、送信データを読み込ませていれば、ユーザは機器のそばにいる必要は無く、後は機器に送信を任せることになる。
【０１２７】
このようなメモリ送信では、実際の送信開始（相手との接続）時に、ユーザが機器のそばにいるとは限らない為、本発明で実施しているユーザへの問い合わせ処理が無駄になってしまう場合がある。
【０１２８】
そこで、本実施形態では、メモリ送信とダイレクト送信とで処理を分け、メモリ送信時には、代替アドレスへ送信をするかしないかを予めユーザ操作により設定する。
【０１２９】
そして、このユーザ設定で、送信が許可されていればデータを送信し、送信が禁止されていれば、データの送信を禁止する。
【０１３０】
図１４は、メモリ送信時に、ＭＦＰ−Ｘ１０４の表示／操作部２０３の表示部に表示される、代替アドレスへ送信をするかしないかの設定画面の一例を示す図である。ユーザは、この画面で、予めメモリ送信時の送信の許可／禁止の設定を行う。
【０１３１】
次に、図１５を参照して、送信側端末であるＭＦＰ−Ｘ１０４におけるデータ送信処理について説明する。図１５での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【０１３２】
ステップＳ１５０２では、ＣＰＵ２０１は、ユーザ操作に基づき、メモリ送信かダイレクト送信かを判別し、メモリ送信の場合は、ステップＳ１５０３に進み、ダイレクト通信の場合は、ステップＳ１５１０に進む。
【０１３３】
ステップＳ１５１０〜ステップＳ１５１７の処理は、図５のステップＳ５０１〜ステップＳ５０８の処理と同様であるので、その説明を省略する。
【０１３４】
ステップＳ１５１８では、ＣＰＵ２０１は、スキャナ部２０４を制御して、送信画像データを読み取り、ステップＳ１５１９に進む。
【０１３５】
ステップＳ１５１９では、ＣＰＵ２０１は、ステップＳ１５１８で読み取った画像データを転送先の端末に送信して処理を終了する。
【０１３６】
一方、ステップＳ１５０３では、ＣＰＵ２０１は、スキャナ部２０４を制御して、送信画像データを読み取って記憶部に蓄積し、ステップＳ１５０４に進む。
【０１３７】
ステップＳ１５０４では、ＣＰＵ２０１は、ＳＩＰサーバ１０５に対して接続要求であるＩＮＶＩＴＥリクエストを送信し、ステップＳ１５０５に進む。
【０１３８】
ステップＳ１５０５では、ＣＰＵ２０１は、ＳＩＰサーバ１０５から返送された３０２ＭｏｖｅｄＴｅｍｐｏｒａｒｙレスポンスで代替アドレスが通知されたか否かを判断する。
【０１３９】
そして、ＣＰＵ２０１は、ＳＩＰサーバ１０５から代替アドレスが通知されない場合は、転送設定がされていないと判断して、ステップＳ１５０９に進み、ステップＳ１５０３で蓄積した画像データを送信して、処理を終了する。一方、ＣＰＵ２０１は、ＳＩＰサーバ１０５から代替アドレスが通知された場合は、転送設定がされていると判断して、ステップＳ１５０６に進む。
【０１４０】
ステップＳ１５０６では、ＣＰＵ２０１は、図１４に示す設定画面において、メモリ送信時に代替アドレスへ送信を許可する設定がされているか、送信を禁止する設定がされているかを判断する。
【０１４１】
そして、ＣＰＵ２０１は、送信を許可する設定がされている場合は、ステップＳ１５０８に進み、送信を許可する設定がされている場合は、ステップ１５０７に進む。
【０１４２】
ステップＳ１５０７では、ＣＰＵ２０１は、表示／操作部２０３等の表示部に例えば図７に示す送信中止のメッセージを表示する等のエラー処理を行い、データを送信せずに処理を終了する。
【０１４３】
ステップＳ１５０８では、ＣＰＵ２０１は、転送先のアドレスへの再接続要求のＩＮＶＩＴＥリクエストをＳＩＰサーバ１０５に送信し、ステップＳ１５０９に進む。
【０１４４】
ステップＳ１５０９では、ＣＰＵ２０１は、ステップＳ１５０３で蓄積した画像データを転送先の端末に送信し、処理を終了する。
【０１４５】
以上説明したように、本実施形態では、メモリ送信時には、転送先へのデータ送信を許可するか否かをユーザが選択して設定することができるので、メモリ送信時にユーザへの無駄な問い合わせ処理を行うことなく、効率よく送信制御が行なえる。その他の構成及び作用効果は、上記第１の実施形態と同様である。
【０１４６】
（第７の実施形態）
次に、図１６〜図１８を参照して、本発明の第７の実施形態である情報処理装置について説明する。なお、上記第１の実施形態に対して重複又は相当する部分については、図及び符号を流用して説明する。
【０１４７】
本実施形態は、送信側端末であるＭＦＰ−Ｘ１０４において、ユーザに機器へのログインを行わせたり、特殊なカードとその読み取り装置でユーザを特定し、機器に予め設定されたユーザのみに操作を許可する等のユーザ認証を行う場合の例である。
【０１４８】
図１６は、送信側端末であるＭＦＰ−Ｘ１０４におけるデータ送信処理について説明するためのフローチャート図である。図１６での各処理は、ＭＦＰ−Ｘ１０４のＲＯＭ２０８やＨＤＤ２１０等の記憶部に記憶された制御プログラムがＲＡＭ２０９にロードされて、ＣＰＵ２０１等により実行される。
【０１４９】
なお、本実施形態では、上記第１の実施形態で説明した図５のステップＳ５０２とステップＳ５０３との間に、ステップＳ１６０１及びステップＳ１６０２が挿入される点以外は、上記第１の実施形態（図５）と同様であるため、相違点についてのみ説明する。
【０１５０】
ステップＳ５０２では、ＣＰＵ２０１は、ＳＩＰサーバ１０５から返送された３０２ＭｏｖｅｄＴｅｍｐｏｒａｒｙレスポンスで代替アドレスが通知された場合には、転送設定がされていると判断し、ステップＳ１６０１に進む。
【０１５１】
ステップＳ１６０１では、ＣＰＵ２０１は、現在機器使用中のユーザが認証中（図ではログイン中）であるかどうかを判定する。
【０１５２】
そして、ＣＰＵ２０１は、ユーザ認証中であれば、ステップＳ５０３に進んでユーザへの問い合わせ処理を行い、ユーザが認証中のユーザで無い場合、すなわちログインしていないユーザである場合は、ステップＳ１６０２に進む。
【０１５３】
ここで、現在ログインをしていないユーザからの送信要求に対しては、ステップＳ５０３での転送を許可するか否かの問い合わせ処理が意味をなさなくなってしまう。
【０１５４】
そこで、ステップＳ１６０２では、ＣＰＵ２０１は、ユーザＩＤ、ユーザ名、送信しようとしたジョブのＮｏ．などの中止通知情報を記憶部に記憶し、データを送信することなく、処理を終了する。なお、この場合、ユーザがログイン中でなくてもデータ送信するのは、例えば、時刻を指定した送信や、前述のメモリ送信でのエラー再送信などが考えられる。
【０１５５】
図１７は、ステップＳ１６０２で記憶する中止通知情報の例を示す図であり、図では、少なくとも、送信を指示したユーザのＩＤ、ユーザ名、送信ジョブのＮｏ．を例示している。図１７の中止通知情報は、後にユーザがログインした際に、そのユーザへ表示／操作部２０３の表示部等を介して通知される。
【０１５６】
図１８は、ユーザへの通知画面例を示す図である。この通知画面は、図１７の中止通知情報を基に、送信を試みたユーザに対し、転送設定があったため送信を中止した旨を伝えるものであり、ＸＸＸには、ユーザ名、ＹＹＹには、中止ジョブＮｏ．が表示される。
【０１５７】
以上説明したように、本実施形態では、特定ユーザログインなどのユーザ認証時に送信処理が行なわれた場合に、ユーザが認証中のときは該ユーザに対して転送を許可するか否かの問い合わせ処理を行う。
【０１５８】
また、ユーザが認証中でなかった（ログイン中でなかった）場合には、転送を中止し、そのジョブを発行したユーザＩＤ、ユーザ名、ジョブＮｏ．を記憶し、該ユーザが再びログインした場合に、送信を中止したことをユーザへ通知する。
【０１５９】
これにより、不用意に転送先にデータを送ってしまうことを未然に防ぐことができる。その他の構成及び作用効果は、上記第１の実施形態と同様である。
【０１６０】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【０１６１】
１００  ネットワーク
１０１  ＭＦＰ−Ａ
１０２  ＭＦＰ−Ｂ
１０３  ＭＦＰ−Ｃ
１０４  ＭＦＰ−Ｘ
１０５  ＳＩＰサーバ
２０１  ＣＰＵ
２０３  表示／操作部
２０４  スキャナ部
２０５  印刷部
２０６  ＩＰパケット作成／解析部
２０７  画像変換制御部
２０８  ＲＯＭ
２０９  ＲＡＭ
２１０  ＨＤＤ
２１３  ネットワークＩ／Ｆ部
２１４  Ｔ．３８プロトコル作成／解析部
【図１】
2011029820.tif 000003
【図２】
2011029820.tif 000004
【図３】
2011029820.tif 000005
【図４】
2011029820.tif 000006
【図５】
2011029820.tif 000007
【図６】
2011029820.tif 000008
【図７】
2011029820.tif 000009
【図８】
2011029820.tif 000010
【図９】
2011029820.tif 000011
【図１０】
2011029820.tif 000012
【図１１】
2011029820.tif 000013
【図１２】
2011029820.tif 000014
【図１３】
2011029820.tif 000015
【図１４】
2011029820.tif 000016
【図１５】
2011029820.tif 000017
【図１６】
2011029820.tif 000018
【図１７】
2011029820.tif 000019
【図１８】
2011029820.tif 000020